(57)【特許請求の範囲】
【請求項１】
耐火性を有する間仕切壁とその周囲の躯体との間の間隙に、それら間仕切壁と躯体との面内相対変形に追従して変形しつつ間仕切壁を躯体に対して支持せしめる継手部材を配設した間仕切壁の設置構造であって、前記継手部材は、前記間仕切壁の面内方向への弾性変形が可能でありかつ面外方向への変形が規制された状態で間仕切壁と躯体との間に介装される板バネを有し、該継手部材を前記間隙に配設して該継手部材により前記間仕切壁を前記躯体に対して支持せしめるとともに、膨縮可能な柔軟な耐火材を前記間隙に充填して該耐火材により前記間隙を塞いだことを特徴とする間仕切壁の設置構造。
【請求項２】
請求項１記載の間仕切壁の設置構造であって、前記継手部材は、前記間仕切壁と前記躯体に対してそれぞれ固定される対のランナーの間に前記板バネを複数取り付けてなることを特徴とする間仕切壁の設置構造。
【請求項３】
請求項１または２記載の間仕切壁の設置構造であって、前記板バネは側面視形状が円形あるいは菱形もしくはくの字状をなすことを特徴とする間仕切壁の設置構造。
【発明の詳細な説明】
【０００１】
【発明の属する技術分野】
本発明は、建物に設置される間仕切壁、特に耐火性を有する耐火間仕切壁の設置構造に関するものである。
【０００２】
【従来の技術】
従来の耐火間仕切壁においては、要求される性能は遮熱性や遮炎性等であり、このような性能を備えた種々の耐火間仕切壁の構造が提供されている。
【０００３】
【発明が解決しようとする課題】
しかしながら従来の間仕切壁においては、地震時における躯体の変形や火災時における躯体の熱変形等に対する変形追従性については特に要求されていないのが実状であり、そのため、図８に示すように地震時あるいは火災時に間仕切壁１の周囲の柱２や梁３等の躯体が変形した場合には、そのような変形によって間仕切壁１の周縁部の損壊が生じたり、柱２や梁３と間仕切壁１との間に小さからぬ隙間４が生じることが想定され、そのような場合には間仕切壁１に要求される耐火性能や遮煙性能を保持することができなくなることも懸念される。
【０００４】
上記事情に鑑み、本発明は、地震時や火災時における躯体の変形に起因して間仕切壁が損壊したり、躯体と間仕切壁との間に隙間が生じるようなことを防止して、耐火性能や遮煙性能を維持することのできる有効な間仕切壁の設置構造を提供することを目的としている。
【０００５】
【課題を解決するための手段】
請求項１の発明は、耐火性を有する間仕切壁とその周囲の躯体との間の間隙に、それら間仕切壁と躯体との面内相対変形に追従して変形しつつ間仕切壁を躯体に対して支持せしめる継手部材を配設した間仕切壁の設置構造であって、前記継手部材は、前記間仕切壁の面内方向への弾性変形が可能でありかつ面外方向への変形が規制された状態で間仕切壁と躯体との間に介装される板バネを有し、該継手部材を前記間隙に配設して該継手部材により前記間仕切壁を前記躯体に対して支持せしめるとともに、膨縮可能な柔軟な耐火材を前記間隙に充填して該耐火材により前記間隙を塞いだことを特徴とする。
【０００６】
請求項２の発明は、請求項１の発明の間仕切壁の設置構造であって、前記継手部材は、前記間仕切壁と前記躯体に対してそれぞれ固定される対のランナーの間に前記板バネを複数取り付けてなることを特徴とする。
【０００７】
請求項３の発明は、請求項１または２の発明の間仕切壁の設置構造であって、前記板バネは側面視形状が円形あるいは菱形もしくはくの字状をなすことを特徴とする。
【０００８】
【発明の実施の形態】
図１〜図３は本発明の一実施形態を示すものである。本実施形態は図１に示す継手部材５を用い、それを図２および図３に示すように間仕切壁１とその周囲の躯体である柱２および梁３との間に配設することを主眼とする。
【０００９】
その継手部材５は２本のランナー６の間に複数（図示例では３つ）の板バネ７を設けたものである。ランナー６としては通常の軽量溝形鋼が用いられ、板バネ７としては帯鋼をリング状とした円形のものが採用され、上記２本のランナー６を対向配置してそれらの間に板バネ７をビス止めあるいは溶接等により固定して一体化した構成とされている。この継手部材５は（ａ）に示す通常の状態から、全体の厚み方向（ランナー６どうしの対向方向）の荷重がかかると板バネ７が弾性変形して（ｂ）に示すようにランナー６間の間隔が自由に変化し得るものであり、またランナー６どうしを長さ方向にずらすような荷重には同じく板バネ７の弾性変形により追従可能であるが、ランナー６どうしを横方向にずらすような横方向の荷重に対しては板バネ７自体の強度により対抗し得る剛性を有するものとされている。
【００１０】
上記の継手部材５は、図３に示すように間仕切壁１の上縁と梁３の下面との間、および間仕切壁１の側縁と柱２の表面との間の間隙にそれぞれ配されて使用される。間仕切壁１の上縁と梁３の下面との間における継手部材５の配設状態を図２により詳細に説明すると、本実施形態における間仕切壁１はプラスターボードあるいはケイ酸カルシウム板等の不燃ボード８をランナー９により中空部１０を確保して４重に積層した構造とされているので、上記の継手部材５を中空部１０の上部に配設してその下側のランナー６を間仕切壁１内のランナー９に対してビス止めあるいは溶接により固定し、上側のランナー６を梁３の下面に対して直接的にビス止めして固定している。
【００１１】
そして、そのように配設された継手部材５の両側に、ロックウールファイバーやセラミックファイバー等の膨縮可能な柔軟性を有する繊維系の耐火材１１が詰め込まれて充填され、その耐火材１１により間仕切壁１と梁３との間の間隙が塞がれ、さらにその耐火材１１の表面側には不燃ボードや不燃シート等の化粧材１２が取り付けられて耐火材１１を隠蔽している。間仕切壁１の側縁と柱２表面との間にも、上記と同様に継手部材５の一方のランナー６を間仕切壁１内のランナー９に固定し、他方のランナー６を柱２に対して固定し、その両側に耐火材１１，化粧材１２を取り付ければ良い。
【００１２】
以上のように、間仕切壁１の面内方向に弾性変形可能な継手部材５によって間仕切壁１を躯体に対して支持せしめ、かつ間仕切壁１と躯体との間の間隙を膨縮可能な繊維系の耐火材１１により塞いだことにより、継手部材５によって間仕切壁１を躯体に対して安定かつ確実に固定でき、かつ耐火材１１により所望の耐火性能を確保できるものである。そして、地震時や火災時に図８に示したように躯体が変形したような場合においても、その変形に追従して継手部材５の板バネ７が弾性変形してそのまま間仕切壁１を支持し続け、したがって間仕切壁１に無理な力がかかって損壊したり継手部材５から外れて倒壊してしまうようなことはない。勿論、そのような変形に追従して耐火材１１が自由に膨張収縮して間隙の閉塞状態を維持するから耐火性能や遮煙性能が損なわれることはない。なお、上記のような変形により化粧材１２は破壊されることがあるが、それが破壊されても耐火性能や遮煙性能には影響が及ばない。
【００１３】
図４および図５は継手部材５の他の構成例を示すものである。図４に示すものは板バネ７を菱形状としたもの、図５に示すものは板バネ７をくの字状にしたものであり、いずれも円形の板バネ７を用いる場合と同様の効果が得られる。
【００１４】
なお、上記実施形態では、間仕切壁１の上縁と梁３との間のみならず、間仕切壁１の側縁と柱２との間にも上記の継手部材５と耐火材１１による構造を採用したが、間仕切壁１の側縁と柱２との間の構造としては図６あるいは図７に示す構造も採用可能である。
【００１５】
図６に示すものは（ａ）に示すようなランナー２０を用いるものである。このランナー２０はチャンネル状の断面のものであるが、その両壁部には外側に「く」の字状に折り曲げられたバネ部２０ａが形成されており、それらバネ部２０ａの弾性変形によりランナー２０全体がその高さ方向に伸縮できるものとされており、そのランナー２０により（ｂ）に示すように間仕切壁１の側縁を柱２に対して支持するようにしたものである。このようなランナー２０を用いることで、バネ部２０ａの弾性変形により躯体の変形に追従できるし、ランナー２０自体やその内部に装着したスペーサ２１に耐火性を持たせることで上記実施形態における耐火材１１を省略することができる。
【００１６】
図７（ａ）〜（ｆ）に示すものは、いずれも間仕切壁１を２枚の不燃ボード８の間に中空部を確保した構成とし、その不燃ボード８の側縁部を、柱２に固定したガイド部材３０により変形吸収可能に支持せしめた構造であり、必要に応じて不燃ボード８とガイド部材３０や柱２との間に耐火ガスケットや耐火シーリング材等のシール部材３１を挟み込んだ構成としたものである。
【００１７】
【発明の効果】
請求項１の発明は、間仕切壁の面内方向への弾性変形が可能でありかつ面外方向への変形が規制された状態で間仕切壁と躯体との間に介装される板バネを有する継手部材を採用し、その継手部材により間仕切壁を躯体に対して支持せしめるとともに、間仕切壁と躯体との間の間隙を膨縮可能な柔軟な耐火材により塞ぐ構造であるから、継手部材によって間仕切壁を躯体に対して安定かつ確実に固定でき、かつ耐火材により所望の耐火性能を確保できるものであり、特に、地震時や火災時に躯体が変形したとしてもその変形に追従して継手部材の板バネが弾性変形してそのまま間仕切壁を支持し、したがって間仕切壁に無理な力がかかって損壊したり継手部材から外れて倒壊してしまうようなことはないし、変形に追従して耐火材が自由に膨張収縮して間隙の閉塞状態を維持するから、地震時や火災時の躯体の変形により間仕切壁の耐火性能や遮煙性能が損なわれることを確実に防止することができる。
【００１８】
請求項２の発明は、間仕切壁と躯体に対してそれぞれ固定される対のランナーの間に板バネを複数取り付けた構成の継手部材を用いるので、その継手部材の各ランナーを間仕切壁と躯体に固定することのみでその継手部材により間仕切壁を確実強固に支持することができ、施工性に優れる。
【００１９】
請求項３の発明は、継手部材における板バネを円形あるいは菱形もしくはくの字状としたので、その継手部材に確実な変形吸収性能をもたせることはもとより、構成が簡単で容易かつ安価に製作できる。
【図面の簡単な説明】
【図１】  本発明の実施形態の設置構造を示すもので、継手部材の構成例を示す図である。
【図２】  同、要部立断面図である。
【図３】  同、正面図である。
【図４】  同、継手部材の他の構成例を示す図である。
【図５】  同、継手部材のさらに他の構成例を示す図である。
【図６】  柱に対する間仕切壁の支持構造の例を示す図である。
【図７】  柱に対する間仕切壁の支持構造の他の例を示す図である。
【図８】  躯体の変形挙動を説明する図である。
【符号の説明】
１  間仕切壁
２  柱（躯体）
３  梁（躯体）
５  継手部材
６  ランナー
７  板バネ
【図１】
0003690492.tif 000002
【図２】
0003690492.tif 000003
【図３】
0003690492.tif 000004
【図４】
0003690492.tif 000005
【図５】
0003690492.tif 000006
【図６】
0003690492.tif 000007
【図７】
0003690492.tif 000008
【図８】
0003690492.tif 000009